(57)【要約】【課題】アプリケーションソフトのプログラムが大規模化、複雑化しても、試験を実施した際の判定結果の正誤を自動的に試験項目へ入力できる判定結果自動入力装置及び判定結果自動入力方法を提供する。【解決手段】遠隔試験装置が試験項目管理装置より実行する試験項目に対応する送信信号を読み出すことにより、判定結果を自動的に得ることができるので、アプリケーションソフトのプログラムが大規模化、複雑化しても、試験を実施した際の判定結果の正誤を自動的に試験項目へ入力できる。この結果、人為による判定結果を入力する必要がなくなる。【選択図】  図１
2007257480.tif 000002
【特許請求の範囲】
【請求項１】
遠隔試験装置が試験項目に対応する判定結果の送信信号を試験項目管理装置より読み出して前記試験項目に自動的に入力することを特徴とする判定結果自動入力方法。
【請求項２】
制御対象システムに対して送信信号を送信し、前記制御対象システムが発する受信信号を判定部で受信して判定を行い、その判定結果を試験項目管理装置に自動的に入力することを特徴とする判定結果自動入力方法。
【請求項３】
試験項目管理装置の試験項目に対応する送信信号を遠隔試験装置から入力し、入力された信号を制御／監視装置より送信信号として制御対象システムへ送信し、前記制御対象システムが受け取った送信信号に対応する受信信号を前記制御／監視装置へ送信させ、前記制御／監視装置にて前記受信信号を受信し、判定部にて前記受信信号の正誤の判定を行い、その判定結果を前記試験項目管理装置に送信し、前記試験項目管理装置は、前記遠隔試験装置から読み出された送信信号に対応する判定結果を自動的に入力することを特徴とする判定結果自動入力方法。
【請求項４】
遠隔試験装置が試験項目に対応する判定結果の送信信号を試験項目管理装置より読み出して前記試験項目に自動的に入力する手段を備えたことを特徴とする判定結果自動入力装置。
【請求項５】
制御対象システムに対して送信信号を送信する送信手段と、前記制御対象システムが発する受信信号を受信する受信手段と、該受信手段で受信した受信信号を判定し、その判定結果を試験項目管理装置に自動的に入力する処理手段とを備えたことを特徴とする判定結果自動入力装置。
【請求項６】
遠隔試験装置から入力される試験項目管理装置の試験項目に対応する送信信号を送信信号として制御対象システムへ送信する送信手段と、前記制御対象システムが受け取った送信信号に対応する受信信号を収容する処理手段と、前記受信信号の正誤の判定を行い判定結果を前記試験項目管理装置に送信することにより、前記試験項目管理装置が前記遠隔試験装置から読み出された送信信号に対応する判定結果を自動的に入力する判定手段とを備えたことを特徴とする判定結果自動入力装置。
【発明の詳細な説明】
【技術分野】
【０００１】
本発明は、判定結果自動入力方法及び判定結果自動入力装置に関する。
【背景技術】
【０００２】
アプリケーションソフトを搭載した制御対象システムに、コマンドによる送信信号を送信した後、制御／監視装置が判定部にて判定結果を出力し、判定結果は人為にて確認し、試験項目に判定結果を入力していた（例えば、特許文献１〜５参照。）。
【特許文献１】特開２００１−１０３１２３号公報
【特許文献２】特開２００２−０２６９２１号公報
【特許文献３】特開２００３−１０１５３８号公報
【特許文献４】特開２００４−２４６７９４号公報
【発明の開示】
【発明が解決しようとする課題】
【０００３】
ところで、上述した従来技術では、判定結果を人為による正誤確認、及び人為による入力を行う必要があったため、人為ミスの影響があった。
すなわち、上記のような従来の手法では、アプリケーションソフトのプログラムを改修した場合、改修による判定結果への影響は、各々人が目視でチェックすることによって確認していた。そのため、改修の大規模化、複雑化により、先に述べたプログラム改修による判定結果を全て目視でチェックするには多くの時間を費やさなければならないという問題点があった。
【０００４】
そこで、本発明は、かかる問題点を解決するためになされたものであり、アプリケーションソフトのプログラムが大規模化、複雑化しても、試験を実施した際の判定結果の正誤を自動的に試験項目へ入力できる判定結果自動入力装置及び判定結果自動入力方法を提供することを目的としている。
【課題を解決するための手段】
【０００５】
上記課題を解決するため、請求項１記載の発明は、遠隔試験装置が試験項目に対応する判定結果の送信信号を試験項目管理装置より読み出して前記試験項目に自動的に入力することを特徴とする。
【０００６】
請求項１記載の発明によれば、遠隔試験装置が試験項目管理装置より実行する試験項目に対応する判定結果の送信信号を読み出すことにより、判定結果を自動的に得ることができるので、アプリケーションソフトのプログラムが大規模化、複雑化しても、試験を実施した際の判定結果の正誤を自動的に試験項目へ入力できる。
【０００７】
請求項２記載の発明は、制御対象システムに対して送信信号を送信し、前記制御対象システムが発する受信信号を判定部で受信して判定を行い、その判定結果を試験項目管理装置に自動的に入力することを特徴とする。
【０００８】
請求項２記載の発明によれば、制御対象システムに対して送信信号を送信し、制御対象システムが発する受信信号を判定部で受信して判定を行い、その判定結果を試験項目管理装置に入力することにより、判定結果を自動的に得ることができるので、アプリケーションソフトのプログラムが大規模化、複雑化しても、試験を実施した際の判定結果の正誤を自動的に試験項目へ入力できる。
【０００９】
請求項３記載の発明は、試験項目管理装置の試験項目に対応する送信信号を遠隔試験装置から入力し、入力された信号を制御／監視装置より送信信号として制御対象システムへ送信し、前記制御対象システムが受け取った送信信号に対応する受信信号を前記制御／監視装置へ送信させ、前記制御／監視装置にて前記受信信号を受信し、判定部にて前記受信信号の正誤の判定を行い、その判定結果を前記試験項目管理装置に送信し、前記試験項目管理装置は、前記遠隔試験装置から読み出された送信信号に対応する判定結果を自動的に入力することを特徴とする。
【００１０】
請求項３記載の発明によれば、試験項目管理装置の試験項目に対応する判定結果の送信信号を遠隔試験装置から入力し、送信信号として制御対象システムへ送信し、制御対象システムが受け取った送信信号に対応する受信信号を制御／監視装置にて受信し、判定部にて判定を行い、その判定結果を試験項目管理装置は、遠隔試験装置から読み出された送信信号に対応する判定結果を入力することにより、判定結果を自動的に得ることができるので、アプリケーションソフトのプログラムが大規模化、複雑化しても、試験を実施した際の判定結果の正誤を自動的に試験項目へ入力できる。
【００１１】
請求項４記載の発明は、遠隔試験装置が試験項目に対応する判定結果の送信信号を試験項目管理装置より読み出して前記試験項目に自動的に入力する手段を備えたことを特徴とする。
【００１２】
請求項４記載の発明によれば、遠隔試験装置が試験項目管理装置より実行する試験項目に対応する判定結果の送信信号を読み出すことにより、判定結果を自動的に得ることができるので、アプリケーションソフトのプログラムが大規模化、複雑化しても、試験を実施した際の判定結果の正誤を自動的に試験項目へ入力できる。
【００１３】
請求項５記載の発明は、制御対象システムに対して送信信号を送信する送信手段と、前記制御対象システムが発する受信信号を受信する受信手段と、該受信手段で受信した受信信号を判定し、その判定結果を試験項目管理装置に自動的に入力する処理手段とを備えたことを特徴とする。
【００１４】
請求項５記載の発明によれば、制御対象システムに対して送信信号を送信する送信手段と、制御対象システムが発する受信信号を受信する受信手段と、受信手段で受信した受信信号を判定し、その判定結果を試験項目管理装置に入力する処理手段とを備えたことにより、判定結果を自動的に得ることができるので、アプリケーションソフトのプログラムが大規模化、複雑化しても、試験を実施した際の判定結果の正誤を自動的に試験項目へ入力できる。
【００１５】
請求項６記載の発明は、遠隔試験装置から入力される試験項目管理装置の試験項目に対応する送信信号を送信信号として制御対象システムへ送信する送信手段と、前記制御対象システムが受け取った送信信号に対応する受信信号を収容する処理手段と、前記受信信号の正誤の判定を行い判定結果を前記試験項目管理装置に送信することにより、前記試験項目管理装置が前記遠隔試験装置から読み出された送信信号に対応する判定結果を入力する判定手段とを備えたことを特徴とする。
【００１６】
請求項６記載の発明によれば、遠隔試験装置から入力される試験項目管理装置の試験項目に対応する送信信号を送信信号として制御対象システムへ送信する送信手段と、制御対象システムが受け取った送信信号に対応する受信信号を収容する処理手段と、受信信号の正誤の判定を行い判定結果を試験項目管理装置に送信することにより、試験項目管理装置が遠隔試験装置から読み出された送信信号に対応する判定結果を入力する判定手段とを備えたことにより、判定結果を自動的に得ることができるので、アプリケーションソフトのプログラムが大規模化、複雑化しても、試験を実施した際の判定結果の正誤を自動的に試験項目へ入力できる。
【発明の効果】
【００１７】
本発明によれば、遠隔試験装置が試験項目管理装置より実行する試験項目に対応する判定結果の送信信号を読み出すことにより、判定結果を自動的に得ることができるので、アプリケーションソフトのプログラムが大規模化、複雑化しても、試験を実施した際の判定結果の正誤を自動的に試験項目へ入力できる。この結果、人為による判定結果を入力する必要がなくなる。
【発明を実施するための最良の形態】
【００１８】
次に、本発明の実施の形態について図面を参照して説明する。
図１は、本発明に係る判定結果自動入力装置の一実施形態の構成を示す図であり、図２は、試験項目管理装置６の構成の一例を示す図であり、図３は、図１に示した判定結果自動入力装置に用いられる制御／監視装置のブロック図の一例である。図４は、遠隔試験装置１の一例を示す構成図である。
【００１９】
［構成の説明］
図１に示すシステムは、制御対象システム３に対する試験結果を試験項目管理装置６にて自動で入力するものである。
判定結果自動入力装置は、試験項目管理装置６より制御／監視装置２へ送信する送信信号を読み込む遠隔試験装置１と、送信信号から得られた受信信号の判定結果を自動入力できる試験項目管理装置６とで構成されている。制御／監視装置２は、制御対象システム３へ送信信号を送出する制御／監視装置２と、制御対象システム３から送出される受信信号を収容する処理装置４を有し、処理装置４は、収容された受信信号を判定し、試験項目管理装置６へ判定結果を送信する判定部５を有する。
【００２０】
制御対象システム３としては、例えば、無線基地局装置を制御しているアプリケーションソフトが挙げられる。
試験項目管理装置６の構成の一例を図２に示す。
試験項目管理装置６は、試験項目データベース６ａ、試験結果データベース６ｂ、及びコマンド群データベース６ｃを備えたハードディスク装置６０からなっている。
ハードディスク装置６０は、試験項目、試験結果、及びコマンド群のデータを記憶している。
試験項目データベース６ａは、登録されている試験項目が格納されている。
試験結果データベース６ｂは、試験項目に対応する試験結果の内容が格納されている。
コマンド群データベース６ｃは、試験項目と試験項目に対応するコマンドが紐付けられている。
試験項目としては、例えば、表１に示すような大項目、小項目、結果、及び日付等が挙げられる。
【００２１】
【表１】
2007257480.tif 000003
【００２２】
図３に示す制御／監視装置２は、判定部５を有する処理装置４の他に、コマンド制御部２ａと、通信制御部２ｂとを有する。
コマンド制御部２ａは、選択された試験項目に紐づいているコマンドを発行する機能を有する。
通信制御部２ｂは、Ｊａｖａ（登録商標）アプリケーションと制御対象システム３との通信を行う機能を有する。
判定部５は、制御対象システム３からの受信信号を判定する機能を有する。制御対象システム３からの受信信号は、特定のフォーマットになっており、それからＪａｖａ（登録商標）アプリケーション上にて判定を行う。例えば、「＊＊＊＊＊ＯＫ＊＊＊＊＊」や「＊＊＊＊＊ＮＧ＊＊＊＊＊」のようなアスタリスク「＊」に囲まれた文字列を判定する。
【００２３】
遠隔試験装置１は、図４に示すようにＷＷＷサーバ４０を有する。
ＷＷＷサーバ４０のソフトウェアは本サーバ上で動作するＪａｖａ（登録商標）言語であり、本ソフトウェア上より試験項目管理装置６から選択された試験項目の試験開始・停止を実行することができる。
【００２４】
送信信号及び受信信号の信号形式は、シリアルパケット形式となっている。
通信制御方式としては、例えばＴＣＰ／ＩＰ制御方式となっている。
【００２５】
［動作の説明］
図１に示した判定結果自動入力装置は、図示しないオペレータが試験項目管理装置６の試験項目に対応する送信信号を遠隔試験装置１から入力し、入力された信号が制御／監視装置２より送信信号として制御対象システム３へ送信される。制御対象システム３は、受け取った送信信号に対応する受信信号を制御／監視装置２へ送信する。制御／監視装置２の処理装置４にて受信信号を収容し、判定部５にて、受信信号の判定を行い自動的に正誤のチェックを行うことができ、その判定結果を試験項目管理装置６に送信する。試験項目管理装置６は、判定部５で得られた判定結果を遠隔試験装置１から読み出された送信信号に対応する判定結果を入力する。
【００２６】
図５は、図１に示した判定結果自動入力装置の動作を説明するためのシーケンス図の一例である。
すなわち、図５のシーケンス図に示すように、試験項目管理装置６が試験項目を選択すると（ステップＳ５０）、遠隔試験装置１は試験を開始し（ステップＳ５１）、制御／監視装置２は、信号情報を取得する（ステップＳ５２）。
制御／監視装置２は、信号情報を取得すると（ステップＳ５２）、送信信号を制御対象システム３に送信する（ステップＳ５３）。
制御対象システム３は、送信信号を受信すると（ステップＳ５４）、受信信号を制御／監視装置２に送信する（ステップＳ５５）。
制御／監視装置２は、受信信号を受信すると（ステップＳ５６）、受信信号を解析し（ステップＳ５７）、判定結果を試験項目管理装置６に送信する（ステップＳ５８）。
試験項目管理装置６は、判定結果を受信すると（ステップＳ５９）、判定結果を入力して終了する（ステップＳ６０）。
【００２７】
［効果の説明］
本発明によれば、遠隔試験装置から試験項目に対応する送信信号を制御／監視装置を介して制御対象システムへ送信し、制御対象システムからの受信信号を判定部にて判別し、試験項目管理装置にて判定結果を自動的に入力することで、アプリケーションソフトのプログラムが大規模化、複雑化しても、試験を実施した際の判定結果の正誤を自動的に試験項目へ入力できる。この結果、人為による判定結果を入力する必要がなくなる。
【図面の簡単な説明】
【００２８】
【図１】本発明に係る判定結果自動入力装置の一実施形態の構成を示す図である。
【図２】試験項目管理装置６の構成の一例を示す図である。
【図３】図１に示した判定結果自動入力装置に用いられる制御／監視装置のブロック図の一例である。
【図４】遠隔試験装置１の一例を示す構成図である。
【図５】図１に示した判定結果自動入力装置の動作を説明するためのシーケンス図の一例である。
【符号の説明】
【００２９】
１    遠隔試験装置
２    制御／監視装置
３    制御対象システム
４    処理装置
５    判定部
６    試験項目管理装置
【図１】
2007257480.tif 000004
【図２】
2007257480.tif 000005
【図３】
2007257480.tif 000006
【図４】
2007257480.tif 000007
【図５】
2007257480.tif 000008